(57)【要約】【課題】被収納物をこぼすことなく、片手で、かつ、極めて容易に、所望量計量して繰出すようにした計量繰出し容器を提供する。【解決手段】容器本体１の外側面における上部には計量ケース５を備えさせ、該容器本体１の側部と該計量ケース５の上部とには該容器本体内の被計量物を該軽量ケース内に流入させるための相互に連通する連通孔９ａ、９ｂを設け、被収納物を収納する容器本体を傾けることにより被計量物が該連通孔を通って該軽量ケース内に所望量流入するようになし、更に、該計量ケースには該軽量ケース内の被計量物を外部に流出させるための出口１１を備えさせたことを特徴とする計量繰出し容器。【選択図】図１
2011140325.tif 000002
【特許請求の範囲】
【請求項１】
容器本体の外側面における上部には計量ケースを備えさせ、該容器本体の側部と該計量ケースの上部とには該容器本体内の被計量物を該軽量ケース内に流入させるための相互に連通する連通孔を設け、被収納物を収納する容器本体を傾けることにより被計量物が該連通孔を通って該軽量ケース内に所望量流入するようになし、更に、該計量ケースには該軽量ケース内の被計量物を外部に流出させるための出口を備えさせたことを特徴とする計量繰出し容器。
【請求項２】
前記計量ケースの出口には蓋を着脱自在に備えさせたことを特徴とする請求項１に記載の計量繰出し容器。
【請求項３】
前記容器本体は、容器主部と、該容器主部における上端開口部に着脱自在に取り付けた容器頭部とよりなり、
前記計量ケースは、該容器頭部の外側面に備えさせ、該容器頭部の側部と該計量ケースの上部とには該容器本体内の被計量物を該軽量ケース内に流入させるための相互に連通する連通孔を設けたことを特徴とする請求項１又は２に記載の計量繰出し容器。
【請求項４】
前記計量ケースには該軽量ケース内の被計量物を計量するための目盛を備えさせたことを特徴とする請求項１〜３のいずれかに記載の計量繰出し容器。
【発明の詳細な説明】
【技術分野】
【０００１】
本発明は、計量繰出し容器に関するものであり、更に詳しくは、液状体、粉状体等の被計量物を所望量（所望の量）計量して繰出すようにした計量繰出し容器に係るものである。
【０００２】
本発明による計量繰出し容器は、例えば液状ないし粉状の農薬その他の薬品、洗剤、食材等を所望量計量して用いるような場合に使用される。
【背景技術】
【０００３】
被計量物を所望量計量して用いる際には、一般に、容器に収納されている被計量物を計量用カップ、計量用スプーン等の計量手段に移すことにより、所望量を計量して該容器から取り出すという手法（以下「従来の計量手法」という。）が用いられている。
【０００４】
実公昭６１−１２９０８号公報は、容器本体の周面を複数縦に分割して調合品項目を形成した表示部を設け、各調合品項目に調合材料の使用分量に対応する複数の容積表示目盛を調合材料の投入順に表示してなるクッキング計量攪拌容器（以下「従来のクッキング計量攪拌容器」という。）を開示している。
【先行技術文献】
【特許文献】
【０００５】
【特許文献１】実公昭６１−１２９０８号公報
【発明の概要】
【発明が解決しようとする課題】
【０００６】
しかるに、上記従来の計量手法においては、計量作業が面倒であり、被収納物を計量手段からこぼすおそれがあり、計量作業に両手を要する等の問題がある。
【０００７】
一方、上記従来のクッキング計量攪拌容器は、調合材料を計量しつつ順次容器内に投入し、攪拌するようにしたものであり、該容器から被計量物を所望量繰出すようにしたものではない。
【０００８】
本発明は、被収納物をこぼすことなく、片手で、かつ、極めて容易に、所望量計量して繰出すようにした計量繰出し容器を提供しようとしてなされたものである。
【課題を解決するための手段】
【０００９】
上記課題を解決するために、本発明は、下記の計量繰出し容器を提供する。
【００１０】
（１）容器本体の外側面における上部には計量ケースを備えさせ、該容器本体の側部と該計量ケースの上部とには該容器本体内の被計量物を該軽量ケース内に流入させるための相互に連通する連通孔を設け、被収納物を収納する容器本体を傾けることにより被計量物が該連通孔を通って該軽量ケース内に所望量流入するようになし、更に、該計量ケースには該軽量ケース内の被計量物を外部に流出させるための出口を備えさせたことを特徴とする計量繰出し容器（請求項１）。
【００１１】
（２）前記計量ケースの出口には蓋を着脱自在に備えさせる（請求項２）。
【００１２】
（３）前記容器本体は、容器主部と、該容器主部における上端開口部に着脱自在に取り付けた容器頭部とよりなり、
前記計量ケースは、該容器頭部の外側面に備えさせ、該容器頭部の側部と該計量ケースの上部とには該容器本体内の被計量物を該軽量ケース内に流入させるための相互に連通する連通孔を設ける（請求項３）。
【００１３】
（４）前記計量ケースには該軽量ケース内の被計量物を計量するための目盛を備えさせる（請求項４）。
【発明の効果】
【００１４】
［請求項１の発明］
使用者は、単に、容器本体を傾けることにより被計量物を連通孔を介して軽量ケース内に所望量流入させ、該軽量ケース内の被計量物を出口より外部に流出させることにより、被収納物を所望量取り出すことができる。この作業は、被収納物をこぼすことなく、片手で、かつ、極めて容易におこなうことができる。
【００１５】
［請求項２の発明］
計量ケースの出口には蓋を着脱自在に備えさせたため、容器本体より計量ケース内に所望量の被計量物をこぼすことなく、一層容易、かつ、確実に流入させることができる。
【００１６】
［請求項３の発明］
容器本体は、容器主部と、該容器主部とは別体の容器頭部とにより形成され、該容器頭部に計量ケースを外設させているため、計量ケースを外設した容器頭部は別の計量ケースを外設した容器頭部と交換自在である。
【００１７】
［請求項４の発明］
計量ケースには該軽量ケース内の被計量物を計量するための目盛を備えさせているため、軽量ケース内に流入した被計量物を容易、かつ、確実に計量することができる。
【図面の簡単な説明】
【００１８】
【図１】図１は、本発明による計量繰出し容器の一例を示す正面図である。
【図２】図２は、同上計量繰出し容器の一部断面正面図である。
【図３】図３は、同上計量繰出し容器の一部断面側面図である。
【図４】図４は、本発明による計量繰出し容器の別の一例を示す正面図である。
【発明を実施するための形態】
【００１９】
まず、図１〜図３に示す事例について説明する。
【００２０】
符号１に示すものは計量繰出し容器の容器本体である。符号３に示すものは容器本体１の上端開口部に着脱自在に備えさせた蓋体である。
【００２１】
容器本体１の外側面における上部には計量ケース５を備えさせる。計量ケース５は、好ましくは、透明である。
【００２２】
容器本体１の側部と計量ケース５の上部とには該容器本体１内の被計量物７を該軽量ケース５内に流入させるための連通孔９ａ、９ｂを設ける。連通孔９ａ、９ｂは、相互に連通する。
【００２３】
以上により、被収納物７を収納する容器本体１を傾けることにより被計量物７が連通孔９ａ、９ｂを通って軽量ケース５内に所望量流入するようになす。この事例においては、容器本体１は、図３における左方に傾けることにより、被計量物７が連通孔９ａ、９ｂを通って軽量ケース５内に流入する。
【００２４】
更に、計量ケース５には容器本体１を傾けることにより該軽量ケース５内の被計量物７を外部に流出させるための出口１１を備えさせる。例えば、容器本体１を図、図２における右方に傾けることにより、被収納物７は出口１１より外部に流出する。
【００２５】
計量ケース５の出口１１には蓋１３を着脱自在に備えさせる。
【００２６】
計量ケース５には該軽量ケース５内の被計量物７を計量するための目盛１５を備えさせる。
【００２７】
次に、図４に示す事例について説明する。この事例は、図１〜図３に示す事例と異なる点についてのみ、説明する。
【００２８】
この事例においては、容器本体１は、容器主部１ａと、該容器主部１ａにおける上端開口部２１に着脱自在に取り付けた容器頭部１ｂとよりなる。
【００２９】
容器頭部１ｂは、一例として、容器主部１ａにおける上端開口部２１に螺合させる。
【００３０】
前記計量ケース５は、容器頭部１ｂの外側面に備えさせ、該容器頭部１ｂの側部と該計量ケース５の上部とには容器本体１内の被計量物７を該軽量ケース５内に流入させるための相互に連通する連通孔９ａ、９ｂを設ける。
【符号の説明】
【００３１】
１  容器本体
１ａ  容器主部
１ｂ  容器頭部
３  蓋体
５  計量ケース
７  被計量物
９ａ  連通孔
９ｂ  連通孔
１１  出口
１３  蓋
１５  目盛
２１  上端開口部
【図１】
2011140325.tif 000003
【図２】
2011140325.tif 000004
【図３】
2011140325.tif 000005
【図４】
2011140325.tif 000006